【事件の表示】
　平成　４年特許願第１８２５３１号「ファクシミリ装置」拒絶査定に対する審判事件［平成　６年　２月　４日出願公開、特開平　６−　３０１６８］について、次のとおり審決する。
【結　論】
　本件審判の請求は、成り立たない。
【理　由】
１．手続きの経緯・本願発明
　本願は、平成４年７月９日に出願されたものであって、その請求項１−２に係る発明は、平成１１年６月２８日付け、平成１３年７月４日付け、平成１４年８月２３日付け、及び平成１５年２月１０日付けの手続補正書で補正された明細書、並びに、図面の記載からみて、その特許請求の範囲の請求項１−２に記載されたとおりのものと認められるところ、その請求項１に記載された発明（以下、「本願発明」という。）は、次のとおりである。
　
　「回線を介してＦＡＸデータの送受信を行う通信制御手段と、外部からの印刷データを入力するインターフェース手段と、前記ＦＡＸデータまたは前記印刷データを記録するプリンタ手段と、前記ＦＡＸデータと前記印刷データとを前記プリンタ手段に切り換え出力する切換手段と、前記通信制御手段がＦＡＸデータの受信を開始した後に前記インターフェース手段から印刷データの入力があったことを検出する検出手段と、前記検出された場合に前記ＦＡＸデータを前記プリンタ手段により記録するとともに前記印刷データを蓄積し前記ＦＡＸデータの記録後に前記切換手段を切り換えて前記蓄積した印刷データを記録するように制御する制御手段とを備えるファクシミリ装置。」
　
２．引用刊行物
（引用例１）
　これに対して、当審の拒絶の理由で引用した　特開平３−２２０８５５号公報（平成３年９月３０日出願公開）（以下、「引用例１」という。）には、図面と共に次の各記載がある。
　
（ア）「この発明の第２の目的は通信回線からのデータ入力とインターフェースからのデータ入力の優先順位判別機能を持たせることにより、利用者の設定した優先順位に従い低い優先順位のものを受信、印字中でもより高い他方のデータ入力があった場合、低い方は待たせることにより高い方は待たせることなく受信、印字することを可能にした為、利用者の望む方のデータ受信を遅滞させることなく、即時受信させることにある。」（第２頁下左欄第１３〜同頁下右欄第２行）
　
（イ）「第１図は本発明のブロック図である。インターフェース付ファクシミリ装置１０は、一般的なファクシミリ装置の機能として読み取り手段７０、印字手段４０、モデムＮＣＵ部８０、制御手段２０、排紙制御部５０を備え、ホストコンピュータ９０と接続するためのインターフェース手段３０を有している。」（第３頁上右欄第１１から１７行）
　
（ウ）「制御部２０は、通信回線よりのデータ受信が優先と設定されている時は、インターフェース手段３０を介してホストコンピュータ９０よりデータを受信、印字中でも通信回線よりのデータ送信（相手方よりの）が検知された場合はその頁の印字を終了した後、インターフェース手段３０を介して、ホストコンピュータにＢｕｓｙ状態を知らせてホストコンピュータ９０よりのデータ受信を一時中断して、通信回線よりのデータ受信を行うといった制御を行う。逆にホストコンピュータ９０よりのデータ受信が優先と設定されていた場合は、通信回線よりのデータ受信はホストコンピュータ９０よりのデータの受信を終了するまでは受け付けられなくなる。但し、通信回線よりのデータ受信中にホストコンピュータ９０よりデータ送信要求があった場合、通信回線よりのデータ受信を一時中断しようとすると通信エラーとなってしまうので、この場合に限り通信回線からのデータ受信が終了するまでは、ホストコンピュータ９０に対してインターフェース手段３０を介してＢｕｓｙ状態を知らせて待たせるといった制御を行う。」（第３頁下右欄第４行〜第４頁上左欄第５行）
　
（エ）「次に第５図に示した優先順位制御フローチャートを用いて優先順位制御の実現方法を説明する。
　動作開始の後、利用者にファクシミリデータの印字を優先させるかホストコンピュータよりのデータの印字を優先させるかを設定させる。設定された後は設定された優先モードで動作する。
　ファクシミリ優先の場合は、第５図（ａ）のフローチャートに示されているように、ファクシミリデータの印字中はホストコンピュータからの送信要求があるかはセンスされないので、必然的にホストコンピュータよりの送信要求はファクシミリ印字が終了するまでは受け付けられない。その結果として、ファクシミリ優先が実現される。一方、ホストデータの印字中においても、ファクシミリ着信が入った場合には、優先順位の高いファクシミリデータを印字する為にホストデータのその頁の印字を終え、第１排紙部に排紙した後、ホストデータの印字を中断する。そして、ファクシミリデータの印字を行い、印字を終了した後、ホストデータの印字を再開して印字を行う。
　逆にホストコンピュータよりのデータの印字を優先の場合のフローチャートは第５図（ｂ）に示された通りである。この場合、ホストデータの印字中はファクシミリデータの着信要求はセンスされないので、結果的にファクシミリデータの着船要求は受け付けられずホストコンピュータよりのデータの印字が優先される。一方、ファクシミリデータの印字中であるが、この場合にホストデータコンピュータからのデータ送信を受け付けるようにしてしまうと、ホストコンピュータよりのデータを印字させる為にファクシミリ通信を中断させなければならなくなり、このようなことは極めて実用的ではない。よって、フローチャートに示された如く、ファクシミリデータ印字中は、印字を終了するまでは、ホストコンピュータよりの送信要求をセンスしない。全ての印字を終了した後、フローチャートにあるように、優先モード変更要求があるかどうかをセンスして要求があった場合は、要求に従い優先モードを変更する。」（第４頁下左欄第２０行〜５頁上左欄１８行）
　
　上記記載事項によると、引用例１には、
　「読み取り手段７０、印字手段４０、モデムＮＣＵ部８０、制御手段２０、排紙制御部５０を備え、ホストコンピュータ９０と接続するためのインターフェース手段３０を有するインターフェース付ファクシミリ装置であって、
（i）ファクシミリ優先の場合
　ファクシミリ優先の場合は、ファクシミリデータの印字中はホストコンピュータからの送信要求があるかはセンスされないので、必然的にホストコンピュータよりの送信要求はファクシミリ印字が終了するまでは受け付けられない。その結果として、ファクシミリ優先が実現される。
　一方、ホストデータの印字中においても、ファクシミリ着信が入った場合には、優先順位の高いファクシミリデータを印字する為にホストデータのその頁の印字を終え、第１排紙部に排紙した後、ホストデータの印字を中断する。そして、ファクシミリデータの印字を行い、印字を終了した後、ホストデータの印字を再開して次頁からの印字を行う。
（ii）ホストコンピュータよりのデータの印字を優先の場合
　ホストコンピュータよりのデータの印字を優先の場合、ホストデータの印字中はファクシミリデータの着信要求はセンスされないので、結果的にファクシミリデータの着船要求は受け付けられずホストコンピュータよりのデータの印字が優先される。
　一方、ファクシミリデータの印字中であるが、この場合にホストデータコンピュータからのデータ送信を受け付けるようにしてしまうと、ホストコンピュータよりのデータを印字させる為にファクシミリ通信を中断させなければならなくなり、このようなことは極めて実用的ではない。よって、ファクシミリデータ印字中は、印字を終了するまでは、ホストコンピュータよりの送信要求をセンスしない。
　というインターフェース付ファクシミリ装置」の発明が記載されていると認められる。
　
（引用例２）
　当審の拒絶の理由で引用した　特開昭６３−１８２９７１号公報（昭和６３年７月２８日出願公開）（以下、「引用例２」という。）には、図面と共に次の各記載がある。
　
（オ）「この発明は以上のような技術的背景の下になされたもので、その目的は、１つの記録装置に複数の受信回路を組み合わせ、複数のソースから同時に受信があった場合にも、できるだけ多くの画情報を受信し記録できるようにしたカラーファクシミリ受信機を提供することにある。
（中略）
　２つの上記受信回路で同時に受信した場合、一方の画信号を直接または上記変換回路を通して上記記録装置にてモノクロでプリントし、他方の画信号を直接または上記変換回路を通して上記メモリに格納後上記記録装置にてプリントする制御手段を備えたものである。
（中略）
　ある受信回路で受信した画信号をプリントしているとき、他の受信回路でも画信号を受信すると、モノクロ画信号であればそのままバッファリングし、カラー画信号であれば直接またはモノクロ画信号に変換してバッファリングする。」（第２頁上左欄第１４行〜同頁下左欄第５行）
　
（カ）「次に、受信回路１と２で同時に受信があった場合の動作を説明する。
　画信号ＰＩＸ１とＰＩＸ２の両方のプリント命令が制御部６に入ると、両画信号がそれぞれカラーかモノクロかを判別し、両方ともモノクロならば１系統はそのまま記録装置３へ出力するようにセレクタ７，８を制御し、他の画信号はメモリ４にバッファリングし、上記のプリント動作が終了した後でメモリ４から読み出して記録装置３に出力するように制御する。
　画信号ＰＩＸ１とＰＩＸ２の一方がカラー、他方がモノクロの場合は、モノクロ画信号はそのまま記録装置３へ出力できるようにセレクタ７，８を制御して即時プリントする。カラー画信号はメモリ４にバッファリングし、上記のモノクロプリントが終了した後でメモリ４から読み出して記録装置３に出力するように制御する。
　画信号ＰＩＸ１とＰＩＸ２の両方ともカラーの場合、制御部６に予め設定してある優先度に従って動作する。例えば、加入者回線と無線系のファクシミリ放送受信機であれば、回線使用料を支払う必要のある放送の場合はこれを優先する。また、緊急警報放送の場合はこれを優先する。
　カラー画信号ＰＩＸ１とＰＩＸ２のうち，ＰＩＸ１の方を優先すると設定されているものとする。この場合、カラー信号ＰＩＸ１を変換賀露５を通してモノクロ画信号に変換し、そのモノクロ画信号を記録装置３に出力する。そのように制御部６画各部を制御する。これによって、優先側のカラー信号はモノクロに変換されて直ちにプリントされる。また、他方のカラー画信号ＰＩＸ２はメモリ４にバッファリングし、前記の優先された入力のプリントが終了した後でメモリ４から読み出して記録装置３に出力するように制御する。」（第３頁上左欄第１３行〜同頁下左欄第６行）
　
３．対比
　本願発明と引用例１に記載された発明とを対比すると、
　引用例１に記載された発明の「モデム・ＮＣＵ部８０」、「インターフェース手段３０」、及び「印字手段４０」は、それぞれ本願発明の「通信制御手段」、「インターフェース手段」、及び「プリンタ手段」に相当することは、明かである。
　引用例１に記載された発明の制御手段は、通信回線からのファクシミリデータとホストコンピュータからの印刷データとを受信し、制御部２０が両データを印字手段４０に切り換え出力するものであるから、ファクシミリデータとコンピュータからの印刷データを切り換える切換手段の働きをするものであることは、明かであり、また引用例１に記載された制御手段は、ホストコンピュータ９０からの印刷要求がインターフェース手段３０にあったときこれを検出しており、処理要求をいつ検出するかは適宜設定すべき設計事項の範囲内のことであることを考えると、インターフェース手段から印刷データの入力があったことを検出する検出手段の働きをするものであることも明かである。
　　
　そうすると、本願発明と引用例１に記載された発明とは、
　「回線を介してＦＡＸデータの送受信を行う通信制御手段と、外部からの印刷データを入力するインターフェース手段と、前記ＦＡＸデータまたは前記印刷データを記録するプリンタ手段と、前記ＦＡＸデータと前記印刷データとを前記プリンタ手段に切り換え出力する切換手段と、前記通信制御手段が前記インターフェース手段から印刷データの入力があったことを検出する検出手段と、前記検出された場合に前記ＦＡＸデータを前記プリンタ手段に記録後に前記切換手段を切り換えて前記印刷データを記録するように制御する制御手段とを備えるファクシミリ装置。」
である点で一致し、次の点で相違する。
　
（相違点）
　本願発明は、検出手段が、通信制御手段によるＦＡＸデータの受信開始後にインターフェース手段から印刷データの入力があったことを検出した場合、制御手段が、ＦＡＸデータをプリント手段により記録するとともに印刷データを蓄積し、ＦＡＸデータの記録後に切換手段を切り換えて蓄積した印刷データを記録するように制御するのに対し、
　引用例１に記載された発明は、ＦＡＸ受信が優先と設定されている場合、ＦＡＸデータをプリント手段により記録した後にホストコンピュータからのデータを記録しているが、検出手段が、通信手段によるＦＡＸデータの受信開始後にはインターフェース手段からの印刷データの入力があったことをセンスせず、ＦＡＸデータをプリント手段により記録した後にインターフェース手段からの印刷データの入力があったことをセンスし、制御手段が、切換手段を切り換えてインターフェース手段からの印刷データを記録する点。
　　
４．当審の判断
　前記相違点について判断する。
　１台のカラーファクシミリ受信装置に複数の受信があった場合、これら複数の受信を検出し、優先度の高い受信画信号は、セレクタを切り換えてそのまま記録装置へ出力するようにし、優先度の低い受信画信号は、セレクタを切り換えて一時的にメモリにバッファリングし、優先度の高い画信号のプリント動作が終了した時点でメモリから読み出して記録装置へ出力しプリントすることは、当業者には周知の技術事項である（この点については、引用例２における前記記載（オ）、（カ）を参照のこと。）。
　また、引用例２には、「ある受信回路で受信した画信号をプリントしているとき、他の受信回路でも画信号を受信すると、モノクロ画信号であればそのままバッファリングし、カラー画信号であれば直接またはモノクロ画信号に変換してバッファリングする。」（前記（オ）参照。）と記載されているように、プリントしているときに、他の受信があるとそのデータを蓄積するようにすることは当業者には周知慣用されている技術常識である。
　さらにまた、ファクシミリ装置では、受信データを逐次蓄積しておき必要な時にプリントアウトすることは、通常に行われている周知な技術事項である。
　そうすると、引用例１に記載された発明において、ＦＡＸデータ印刷中にホストコンピュータからデータ送信がなされた時、ホストコンピュータにビジー信号を返送しデータ送信を待ってもらうことに代えて、
　ＦＡＸデータ受信後に外部からの印刷データを入力するインターフェース手段から印刷データの入力があったことを検出し検出された場合に優先度の高いＦＡＸデータはそのままプリンタ手段に出力し優先度の低い外部からの印刷データは一時的にメモリに蓄積し優先度の高いＦＡＸデータの記録が終了した時点でメモリから読み出してプリンタ手段に出力するようにすることは、当業者が適宜なし得ることである。
　
５．むすび
　以上のとおり、本願発明は、引用例１に記載された発明及び周知技術に基いて当業者が容易に発明をすることができたものであるから、特許法第２９条第２項の規定により特許を受けることができない。
　　よって、結論のとおり審決する。